(57)【要約】【課題】  電力増幅回路の異常を高い精度で検出可能な無線通信装置及び電力増幅回路の異常検出方法を提供すること。【解決手段】  制御回路５は、無線回路３における無線通信の送信時と受信時とを検出し、送信時及び受信時について、電池１の出力電圧である電池電圧を、電池電圧測定回路４から取得する。記憶部６は、測定された電池電圧を記憶する。また、制御回路５は、記憶された送信時及び受信時の電池電圧の差分を算出し、所定値以上の差分が検出されると、送信回路３１の電力増幅回路３３が異常であると判定する。表示部７は、電力増幅回路３３の異常が検出されると、その旨を表示する。また、制御部５は、表示部７のバックライトの点灯状態を検出し、測定された電池電圧を補正し、その補正された測定値を電力増幅回路３３の異常検出に用いる。【選択図】  図１
2006121822.tif 000002
【特許請求の範囲】
【請求項１】
送信用の電力増幅回路を有する無線通信手段と、
前記無線通信手段とは別の機能のオン又はオフの状態を検出する状態検出手段と、
電池の出力電圧を測定する電池電圧測定手段と、
前記測定された電池電圧値を、前記機能の状態に応じて補正する測定値補正手段と、
前記無線通信手段による無線通信の送信時において測定され、前記測定値補正手段により補正された電池電圧値と、前記無線通信手段による無線通信の送信時以外において測定され、前記測定値補正手段により補正された電池電圧値との差分を算出する第一差分算出手段と、
前記第一差分算出手段によって算出された差分と、増幅回路状態判定しきい値とを比較する比較手段と、
前記差分が前記増幅回路異常判定しきい値以上の場合、前記電力増幅回路が異常状態であると判定する判定手段と、
を備える無線通信装置。
【請求項２】
請求項１記載の無線通信装置であって、
前記無線通信手段による送信出力を検出する送信出力検出手段を更に備え、
前記差分算出手段は、前記送信時の電池電圧値として、前記送信出力が所定値以上の場合に測定された電池電圧値を用いる無線通信装置。
【請求項３】
請求項１又は２記載の無線通信装置であって、
前記状態検出手段は、表示装置のバックライトの点灯状態を検出する無線通信装置。
【請求項４】
請求項１〜３のいずれか一項記載の無線通信装置であって、
前記状態検出手段により検出された前記機能がオンのときに測定された電池電圧値と、前記状態検出手段により検出された前記機能がオフのときに測定された電池電圧値との差分を算出する第二差分算出手段と、
前記第二差分算出手段によって算出された差分と、電池劣化判定しきい値とを比較する比較手段と、
前記差分が前記電池劣化判定しきい値以上の場合、前記電池が劣化していると判定する電池劣化判定手段と、
を更に備える無線通信装置。
【請求項５】
請求項４記載の無線通信装置であって、
前記増幅回路異常判定しきい値を設定するしきい値設定手段を更に備え、
前記しきい値設定手段は、前記電池劣化判定手段により電池が劣化していると判定されていない場合には第一のしきい値を前記増幅回路異常判定しきい値として設定し、前記電池劣化判定手段により電池が劣化していると判定された場合には前記第一のしきい値より大きい第二のしきい値を前記増幅回路異常判定しきい値として設定する無線通信装置。
【請求項６】
無線通信手段とは別の機能のオン又はオフの状態を検出するステップと、
無線通信の送信時に、電池の電池電圧を測定するステップと、
前記測定された電源電圧値を、前記機能の状態に応じて補正して第一電池電圧値として出力するステップと、
無線通信の送信時以外のときに、電池から供給される電池電圧を測定するステップと、
前記測定された電池電圧値を、前記機能の状態に応じて補正し、第二電池電圧値として出力するステップと、
前記第一電池電圧値と前記第二電池電圧値との差分を算出するステップと、
前記算出された差分と、増幅回路異常判定しきい値とを比較するステップと、
前記差分が前記増幅回路異常判定しきい値以上の場合、電力増幅回路が異常状態であると判定するステップと、
を有する電力増幅回路の異常検出方法。
【請求項７】
請求項６記載の電力増幅回路の異常検出方法であって、
前記無線通信手段による送信出力を検出するステップを更に備え、
前記送信時電池電圧を出力するステップは、前記送信出力が所定以上のときに測定された電池電圧を用いる電力増幅回路の異常検出方法。
【請求項８】
請求項６又は７記載の電力増幅回路の異常検出方法であって、
無線通信手段とは別の機能のオン又はオフの状態を検出するステップは、表示装置のバックライトのオン又はオフの状態を検出するものである電力増幅回路の異常検出方法。
【請求項９】
請求項６〜８のいずれか一項記載の電力増幅回路の異常検出方法であって、
前記無線通信手段とは別の機能がオンのときに、電池から供給される電池電圧を測定するステップと、
前記無線通信手段とは別の機能がオフのときに、電池から供給される電池電圧を測定するステップと、
前記機能がオンのときに測定された電池電圧と、前記機能がオフのときに測定された電池電圧との差分を算出するステップと、
前記算出された差分と、電池劣化判定しきい値とを比較するステップと、
前記差分が前記電池劣化判定しきい値以上の場合、前記電池が劣化していると判定するステップと、
を更に有する電力増幅回路の異常検出方法。
【請求項１０】
請求項６〜９のいずれか一項記載の電力増幅回路の異常検出方法であって、
前記電池が劣化していると判定されていない場合には第一のしきい値を前記増幅回路異常判定しきい値として設定し、前記電池劣化判定手段により電池が劣化していると判定された場合には前記第一のしきい値より大きい第二のしきい値を前記増幅回路異常判定しきい値として設定するステップを更に有する電力増幅回路の異常検出方法。
【請求項１１】
コンピュータに、請求項６〜１０のいずれか一項記載の各ステップを実行させる電力増幅回路の異常検出プログラム。
【発明の詳細な説明】
【技術分野】
【０００１】
本発明は、無線通信装置及び電力増幅回路の異常検出方法に関するものである。
【背景技術】
【０００２】
携帯電話装置等の無線通信装置において、送信時か待受時かを判定し、送信時の場合、送信中における電圧降下量を求め、その電圧降下量を考慮して電池電圧レベル判定を行う電池残量表示回路があった（例えば、特許文献１参照）。
【０００３】
また、送信時とアイドル時の測定された電池電圧の差分から電池の内部抵抗を予測し、予測された内部抵抗から電池の劣化を判定して、電池交換時期をユーザに通知する通信端末装置があった（例えば、特許文献２参照）。
【０００４】
更に、送信スロットを除いた期間に電池電圧測定を行うことで、動作状態の変化の影響を軽減し、電池電圧を安定的に測定する無線通信装置があった（例えば、特許文献３参照）。
【０００５】
ところで、無線通信装置における送信用の電力増幅回路は、大きな出力を得るため、電池と直接接続されており、大電流を流すことが可能である。このような電力増幅回路は、長時間使用による劣化した状態や、大きな衝撃等による半壊状態に陥った場合にも通信に影響が出ない場合があり、使用者が気付かない場合がある。しかしながら、更に劣化が進むと、必要以上の大電流が流れることにより、電力増幅回路が発熱してしまう恐れがある。
【０００６】
しかしながら、上記従来の無線通信装置にあっては、電池電圧の測定や電池の劣化を予測するものが可能であるものの、電力増幅回路の劣化状態を検出することはできなかった。
【特許文献１】特許第３０７０５５９号明細書
【特許文献２】特開平９−１８３７９号公報
【特許文献３】特許第３２２９０５０号明細書
【発明の開示】
【発明が解決しようとする課題】
【０００７】
本発明は、上記従来の事情に鑑みてなされたものであって、電力増幅回路の異常を高い精度で検出可能な無線通信装置及び電力増幅回路の異常検出方法を提供することを目的とする。
【課題を解決するための手段】
【０００８】
本発明の無線通信装置は、送信用の電力増幅回路を有する無線通信手段と、前記無線通信手段とは別の機能のオン又はオフの状態を検出する状態検出手段と、電池の出力電圧を測定する電池電圧測定手段と、前記測定された電池電圧値を、前記機能の状態に応じて補正する測定値補正手段と、前記無線通信手段による無線通信の送信時において測定され、前記測定値補正手段により補正された電池電圧値と、前記無線通信手段による無線通信の送信時以外において測定され、前記測定値補正手段により補正された電池電圧値との差分を算出する第一差分算出手段と、前記第一差分算出手段によって算出された差分と、増幅回路状態判定しきい値とを比較する比較手段と、前記差分が前記増幅回路異常判定しきい値以上の場合、前記電力増幅回路が異常状態であると判定する判定手段と、を備える。
【０００９】
この構成により、送信時及び送信時以外に測定された電池電圧に基づき、また、無線通信手段とは別の機能のオン、オフを考慮して電力増幅回路が異常か否かを判定することで、電力増幅回路の異常を高い精度で検出することができる。
【００１０】
また、本発明の無線通信装置は、前記無線通信手段による送信出力を検出する送信出力検出手段を更に備え、前記差分算出手段は、前記送信時の電池電圧値として、前記送信出力が所定値以上の場合に測定された電池電圧値を用いる。
【００１１】
この構成により、送信時の電池電圧が動的に変化することを考慮し、送信出力が所定値以上の場合に測定された電池電圧値を用いて電力増幅回路の異常判定を行うので、高精度な電力増幅回路の異常検出を行うことができる。
【００１２】
また、本発明の無線通信装置において、前記状態検出手段は、表示装置のバックライトの点灯状態を検出する。
【００１３】
この構成により、点灯状態の変化が比較的多く、オンオフ間の電池電圧降下が大きなバックライトの点灯状態に基づいて状態検出を行うので、高精度な電力増幅回路の異常検出を行うことができる。
【００１４】
また、本発明の無線通信装置は、前記状態検出手段により検出された前記機能がオンのときに測定された電池電圧値と、前記状態検出手段により検出された前記機能がオフのときに測定された電池電圧値との差分を算出する第二差分算出手段と、前記第二差分算出手段によって算出された差分と、電池劣化判定しきい値とを比較する比較手段と、前記差分が前記電池劣化判定しきい値以上の場合、前記電池が劣化していると判定する電池劣化判定手段と、を更に備える。
【００１５】
この構成により、電力増幅回路の異常検出のほかに、電池劣化の検出を行うことができる。
【００１６】
本発明の無線通信装置は、前記増幅回路異常判定しきい値を設定するしきい値設定手段を更に備え、前記しきい値設定手段は、前記電池劣化判定手段により電池が劣化していると判定されていない場合には第一のしきい値を前記増幅回路異常判定しきい値として設定し、前記電池劣化判定手段により電池が劣化していると判定された場合には前記第一のしきい値より大きい第二のしきい値を前記増幅回路異常判定しきい値として設定する。
【００１７】
この構成により、電池劣化の状態を考慮して電力増幅回路の異常検出を行うので、高精度な電力増幅回路の異常検出を行うことができる。
【００１８】
本発明の無線通信装置における電力増幅回路の異常検出方法は、無線通信手段とは別の機能のオン又はオフの状態を検出するステップと、無線通信の送信時に、電池の電池電圧を測定するステップと、前記測定された電源電圧値を、前記機能の状態に応じて補正して第一電池電圧値として出力するステップと、無線通信の送信時以外のときに、電池から供給される電池電圧を測定するステップと、前記測定された電池電圧値を、前記機能の状態に応じて補正し、第二電池電圧値として出力するステップと、前記第一電池電圧値と前記第二電池電圧値との差分を算出するステップと、前記算出された差分と、増幅回路異常判定しきい値とを比較するステップと、前記差分が前記増幅回路異常判定しきい値以上の場合、電力増幅回路が異常状態であると判定するステップと、を有する。
【００１９】
この方法により、送信時及び送信時以外に測定された電池電圧に基づき、また、無線通信手段とは別の機能のオン、オフを考慮して電力増幅回路が異常か否かを判定することで、電力増幅回路の異常を高い精度で検出することができる。
【００２０】
本発明の無線通信装置における電力増幅回路の異常検出方法は、前記無線通信手段による送信出力を検出するステップを更に備え、前記送信時電池電圧を出力するステップは、前記送信出力が所定以上のときに測定された電池電圧を用いる。
【００２１】
この方法により、送信時の電池電圧が動的に変化することを考慮し、送信出力が所定値以上の場合に測定された電池電圧値を用いて電力増幅回路の異常判定を行うので、高精度な電力増幅回路の異常検出を行うことができる。
【００２２】
本発明の無線通信装置における電力増幅回路の異常検出方法において、無線通信手段とは別の機能のオン又はオフの状態を検出するステップは、表示装置のバックライトのオン又はオフの状態を検出するものである。
【００２３】
この方法により、点灯状態の変化が比較的多く、オンオフ間の電池電圧降下が大きなバックライトの点灯状態に基づいて状態検出を行うので、高精度な電力増幅回路の異常検出を行うことができる。
【００２４】
本発明の無線通信装置における電力増幅回路の異常検出方法は、前記無線通信手段とは別の機能がオンのときに、電池から供給される電池電圧を測定するステップと、前記無線通信手段とは別の機能がオフのときに、電池から供給される電池電圧を測定するステップと、前記機能がオンのときに測定された電池電圧と、前記機能がオフのときに測定された電池電圧との差分を算出するステップと、前記算出された差分と、電池劣化判定しきい値とを比較するステップと、前記差分が前記電池劣化判定しきい値以上の場合、前記電池が劣化していると判定するステップと、を更に有する。
【００２５】
この方法により、電力増幅回路の異常検出のほかに、電池劣化の検出を行うことができる。
【００２６】
本発明の無線通信装置における電力増幅回路の異常検出方法は、前記電池が劣化していると判定されていない場合には第一のしきい値を前記増幅回路異常判定しきい値として設定し、前記電池劣化判定手段により電池が劣化していると判定された場合には前記第一のしきい値より大きい第二のしきい値を前記増幅回路異常判定しきい値として設定するステップを更に有する。
【００２７】
この方法により、電池劣化の状態を考慮して電力増幅回路の異常検出を行うので、高精度な電力増幅回路の異常検出を行うことができる。
【００２８】
また、本発明は、コンピュータに、上記の異常検出方法の各ステップを実行させる無線通信装置における電力増幅回路の異常検出プログラムを提供する。
【００２９】
このプログラムにより、送信時及び送信時以外に測定された電池電圧に基づき、また、無線通信手段とは別の機能のオン、オフを考慮して電力増幅回路が異常か否かを判定することで、電力増幅回路の異常を高い精度で検出することができる。
【発明の効果】
【００３０】
本発明によれば、電力増幅回路の異常を高い精度で検出可能な無線通信装置及び電力増幅回路の異常検出方法を提供することができる。
【発明を実施するための最良の形態】
【００３１】
まず、本発明の実施形態における、無線通信装置の電力増幅回路の異常検出の概要について説明する。無線通信装置において、ＰＤＣ（Personal Digital Cellular）等に用いられるＴＤＭＡ（Time Division Multiple Access）方式では、受信タイミングと送信タイミングとが明確に分かれ、消費電流は送信時のほうがはるかに大きくなる。したがって、電池電圧の電圧降下は、受信時より送信時が大きくなる。
【００３２】
そして、電力増幅回路に異常が生じ、電力増幅回路に所定異常の大電流が流れた場合、送信時と受信時、すなわち電力増幅回路が動作しているときと、していないときとの電池電圧の差が大きくなることになる。そこで、本実施形態の無線通信装置は、電力増幅回路が動作しているときと、していないときの電池電圧の差を監視することにより、電力増幅回路の異常を検出するものである。
【００３３】
また、送受信間の電池電圧の差は、電源となる電池の劣化による影響を受ける場合がある。通常の使用状態では、電池の劣化による影響は現れることは少なく、電力増幅回路の異常検出に問題が出る可能性は低い。しかしながら、今後、携帯端末等へのディジタル放送の配信等が予定されており、電池の消費量が大きくなることよる電池劣化が無視できなくなると予想されるため、電力増幅回路の異常検出に電池の劣化を考慮することが好ましい。
【００３４】
そこで、本実施形態の無線通信装置は、無線通信装置に設けられている表示装置のバックライトの点灯状態（オン／オフ）より電池劣化の有無を検出し、その電池劣化を考慮することにより、高精度な電力増幅回路の異常検出を行うものである。
【００３５】
次に、本発明の実施形態の無線通信装置の構成について説明する。図１は、本発明の実施形態に係る無線通信装置の概略構成を示すブロック図である。図１に示すように、本実施形態の無線通信装置は、電池１と、電源回路２と、無線回路３と、電池電圧測定回路４と、制御回路５と、記憶部６と、表示部７とを備える。
【００３６】
電池１は、無線通信装置の電源を供給するものであり、例えば、無線通信装置と着脱可能な充電池である。電源回路２は、電池１の出力電圧を所定の電圧へ変換して出力する。
【００３７】
無線回路３は変調回路３２及び電力増幅回路３３を有する送信回路３１と、受信回路３４と、アンテナ切替回路３５とを備え、電源回路２の出力電圧により動作し、基地局等との間で無線通信を行うものである。
【００３８】
送信回路３１は、無線通信装置から送信相手へ送信信号を生成するものであり、変調回路３２によって送信すべき信号を変調し、電力増幅回路３３によって変調された信号を増幅する。生成された送信信号はアンテナ切替回路３５を介してアンテナ３６から送信される。受信回路３４は、アンテナ３６からアンテナ切替回路３５を介して受信した信号を信号を復調する。アンテナ切替回路３５は、送信回路３１と受信回路３４とを切り替えて、アンテナ３６と接続する。
【００３９】
電池電圧測定回路４は、電池１の出力電圧を測定する。制御回路５は、電源回路２の出力電圧によって動作し、無線通信装置の各部の動作を制御する。制御回路５の詳細については後述する。記憶部６は、制御回路５を動作させるための情報等を記憶する。表示部７は、制御回路５による指示に基づいて、無線通信装置の動作や機能等を表示する。なお、本実施形態では、表示部７として、液晶表示装置が用いられた場合について説明する。
【００４０】
図２は、本発明の実施形態に係る制御回路の概略構成を示すブロック図である。制御回路５は、所定のプログラムによって動作するプロセッサを主体に構成され、無線通信装置全体の動作を制御するものであるが、図２では、電力増幅回路３３の異常検出を行うための構成を中心に説明する。
【００４１】
図２に示すように、制御回路５は、送受信状態検出部５１と、バックライト状態検出部５２と、測定値取得部５３と、測定値補正部５４と、差分検出部５５と、しきい値設定部５６と、判定部５７と、を備える。
【００４２】
送受信状態検出部５１は、無線回路３の通信状態が送信中か否かを検出する。更に、無線回路３の送信出力電力も検出する。バックライト状態検出部５２は、表示部７のバックライトの点灯状態を検出する。
【００４３】
測定値取得部５３は、送受信状態検出部５１の検出結果に基づいて、電池電圧測定回路４に対して電池電圧の測定タイミングを指示し、電池電圧測定回路４により測定された電池電圧の測定値を取得する。
【００４４】
図３は、本発明の実施形態に係る電池電圧測定タイミングの一例を示す説明図である。  図３に示すように、例えばＴＤＭＡ方式では、無線通信装置は、送信スロット、受信スロット、及び空きスロットの３種類のスロットを用いて基地局装置と無線通信を行っている。
【００４５】
送信回路３１の電力増幅回路３３は、送信スロットの期間中にオンとなり、受信回路３４は、受信スロットの期間中にオンとなる。測定値取得部５３は、送受信状態検出部５１により検出された送信回路３１及び受信回路３４の動作に基づき、電力増幅回路３３がオンのとき及び受信回路３４がオンのときに電池電圧が測定されるように、電池電圧測定回路４に測定タイミングを指示する。
【００４６】
また、測定値取得部５３は、バックライト状態検出部５２による検出結果に応じて、取得した測定値を測定値補正部５４に出力する。測定値補正部５４は、測定値取得部５３からの指示に従って、測定値を補正し、測定値取得部５３に出力する。そして、測定値取得部５３は、測定値又は補正された測定値を記憶部６へ出力し、記憶部６は入力された測定値又は補正された測定値を記憶する。
【００４７】
差分算出部５５は、記憶部６に記憶された測定値の差分を算出する。しきい値設定部５６は、電力増幅回路３３の異常判定を行うためのしきい値を設定する。判定部５７は、差分算出部５５から出力された差分値と、しきい値設定部５６から出力されるしきい値とを比較し、電力増幅回路３３の異常判定を行う。そして、電力増幅回路３３が異常であると判定された場合に、表示部７に警告を表示させる。
【００４８】
次に、本実施形態の無線通信装置の動作について説明する。図４は、本発明の実施形態に係る電池劣化検出方法を示すフロー図である。
【００４９】
図４に示すように、まず、送受信状態検出部５１は受信スロット期間中であるか否かを検出する。受信スロット期間中であれば、バックライト状態検出部５２は、バックライトがＯＮ状態であるか否かを検出する（ステップＳ４０１）。
【００５０】
そして、バックライトがＯＮであれば（ステップＳ４０１のＹＥＳ）、バックライト状態検出部５２は更に、そのバックライト設定が通常輝度以上であるか否かを判断する（ステップＳ４０２）。バックライト設定が通常輝度より低い場合には（ステップＳ４０２のＮＯ）、電池劣化検出を行うのに十分な電池電圧差分が得られないとして、電池劣化検出を行わず、ステップＳ４０１へ戻る。
【００５１】
バックライト設定が通常輝度以上の場合（ステップＳ４０２のＹＥＳ）、測定値取得部５３が取得したバックライトＯＮ時の電池電圧測定値及び測定時刻を記憶部６に出力し、記憶部６は、これらを記憶する。
【００５２】
一方、バックライトがＯＦＦであれば（ステップＳ４０１のＮＯ）、測定値取得部５３が取得したバックライトＯＦＦ時の電池電圧測定値及び測定時刻を記憶部６に出力し、記憶部６は、これらを記憶する。
【００５３】
次に、差分算出部５５が、記憶部６に記憶されているバックライトＯＮ時とＯＦＦ時の電池電圧測定値と測定時刻とを読み出し、その時間差が所定時間以下であるかを判断する（ステップＳ４０５）。その測定時間差が所定時間より長ければ（ステップＳ４０５のＮＯ）、測定値を比較するのが不適切として電池劣化の検出を行わず、ステップＳ４０１に戻る。
【００５４】
一方、測定時間差が所定時間以上であれば（ステップＳ４０５のＹＥＳ）、差分算出部５５は、バックライトＯＮ時とＯＦＦ時との測定値を比較し、その差分を算出する（ステップＳ４０６）。
【００５５】
判定部５７はしきい値設定部５６から電池劣化検出用のしきい値を読み出す。そして、差分算出部５５によって算出されたバックライトＯＮ時とＯＦＦ時との電池電圧の差分が電池劣化検出用のしきい値以上であるかどうかを判断する（ステップＳ４０７）。
【００５６】
判定部５７は、バックライトＯＮ時とＯＦＦ時との電池電圧の差分が電池劣化検出用のしきい値以下であれば（ステップＳ４０７のＮＯ）、電池は劣化していないと判定してステップＳ４０１へ戻り、しきい値以上であれば（ステップＳ４０７のＹＥＳ）、電池が劣化していると判定し、表示部７に電池が劣化していることを示す警告を表示することを指示する（ステップＳ４０８）。
【００５７】
このようにして、バックライトＯＮ時とＯＦＦ時との差分を求めることにより、電池が劣化しているか否かを検出することができる。
【００５８】
図５は、本発明の実施形態に係る電力増幅回路劣化検出方法を示すフロー図である。図５に示すように、まず、送受信状態検出部５１は送信スロット期間中であるか否かを検出する。送信スロット期間中であれば、バックライト状態検出部５２は、バックライトの点灯状態を検出する（ステップＳ５０１）。
【００５９】
測定値取得部５３は、電池電圧測定回路４に電池電圧の測定を指示し、送信スロット期間中における電池電圧を測定する（ステップＳ５０２）。そして、測定値取得部５３は、測定値取得部５４に対して、バックライト状態検出部５２で検出されたバックライトの点灯状態に応じて測定値の補正を指示し、測定値取得部５４は、測定値取得部５３からの指示に従って測定値を補正して測定値取得部５３へ補正された測定値を出力する（ステップＳ５０３）。
【００６０】
なお、この補正方法の例としては、バックライトの点灯がＯＮのときには電池電圧の電圧降下が大きくなるため、その電圧降下分を補うために、所定の補正値を測定値に加算する、等が挙げられる。
【００６１】
測定取得部５３は、取得した電池電圧値又は補正された電池電圧値を送信時の電池電圧値として記憶部６に出力し、記憶部６はその測定値を記憶する（ステップＳ５０４）。そして、記憶された電池電圧値は、電池残量表示として測定値を用いる（ステップＳ５０５）。測定値取得部５３は、送受信状態検出部５１からの検出結果に基づいて、送信出力は規定以上か否かを判断し（ステップＳ５０６）、送信出力が規定より小さければ（ステップＳ５０６のＮＯ）、ステップ５０１へ戻る。
【００６２】
送信出力が規定以上の場合（ステップＳ５０６のＹＥＳ）、送受信状態検出部５１は受信スロット期間中であるか否かを検出する。受信スロット期間中であれば、バックライト状態検出部５２は、バックライトの点灯状態を検出する（ステップＳ５０７）。
【００６３】
測定値取得部５３は、電池電圧測定回路４に電池電圧の測定を指示し、受信スロット期間中における電池電圧を測定する（ステップＳ５０８）。そして、測定値取得部５３は、測定値取得部５４に対して、バックライト状態検出部５２で検出されたバックライトの点灯状態に応じて測定値の補正を指示し、測定値取得部５４は、測定値取得部５３からの指示に従って測定値を補正して測定値取得部５３へ補正された測定値を出力する（ステップＳ５０９）。
【００６４】
測定取得部５３は、取得した電池電圧値又は補正された電池電圧値を受信時の電池電圧値として記憶部６に出力し、記憶部６はその電池電圧値を記憶する（ステップＳ５１０）。そして、差分算出部５５は、記憶部６に記憶されている、送信時の電池電圧値と受信時の電池電圧値とを比較し（ステップＳ５１１）、その差分を算出する。
【００６５】
判定部５７は、しきい値設定部５６から電力増幅回路の異常検出用のしきい値を読み出し、差分算出部５５によって算出された送信時と受信時との測定値の差分が異常判定用のしきい値以上であるかどうかを判断する（ステップＳ５１２）。
【００６６】
送信時と受信時との測定値の差分が異常判定用のしきい値未満であれば（ステップＳ５１２のＮＯ）、判定部５７は、電力増幅回路に異常はないと判定してステップＳ５０１へ戻る。一方、送信時と受信時との測定値の差分が異常判定用のしきい値以上であれば（ステップＳ５１２のＹＥＳ）、判定部５７は、電力増幅回路に異常があると判定し、表示部７に、電力増幅回路の異常を示す警告や、販売店等に点検を出すように使用者に促す表示を指示する（ステップＳ５１３）。
【００６７】
このように、送信時及び送信時以外に測定された電池電圧の差分を検出することで、電力増幅回路の異常を検出することができる。また、表示部のバックライトのオン、オフを考慮して電力増幅回路が異常か否かを判定することで、精度の高い電力増幅回路の異常検出を行うことができる。
【００６８】
更に、送信時の電池電圧が動的に変化することを考慮し、送信出力が所定値以上の場合に測定された電池電圧値を用いて電力増幅回路の異常判定を行うので、電池電圧の差分が小さくなることによる誤判定を避け、高精度な電力増幅回路の異常検出を行うことができる。
【００６９】
次に、しきい値設定部５６における、電力増幅回路異常判定しきい値の設定方法について説明する。図６は、本発明の実施形態に係る電力増幅回路劣化検出用しきい値設定方法を示すフロー図である。
【００７０】
図６に示すように、まず、しきい値設定部５６は、判定部５７から、図４で説明した電池劣化検出処理の検出結果を取得する（ステップＳ５０１）。しきい値設定部５６は、判定部５７により、電池が劣化していると判定されていた場合（ステップＳ５０２のＹＥＳ）、電力増幅回路の異常判定しきい値として、第一しきい値ＴＨ１を設定する（ステップＳ５０３）。
【００７１】
一方、しきい値設定部５６は、判定部５７により、電池が劣化していると判定されていた場合（ステップＳ５０２のＮＯ）、電力増幅回路の異常判定しきい値として、第二しきい値ＴＨ２を設定する（ステップＳ５０３）。ここで、第二しきい値ＴＨ２は、第一しきい値ＴＨ１より小さい値である。
【００７２】
実施形態の冒頭で説明した通り、送受信間の電池電圧の差は、電源となる電池の劣化による影響を受ける場合がある。したがって、電池劣化が検出されていない間は、電池劣化の影響が少ないため、電力増幅回路の異常判定しきい値として小さな値を用いることで、電力増幅回路の異常を早期に検出することができる。また、電池劣化が検出された場合は、異常判定しきい値を大きくすることで、電池劣化の影響による誤判定を防ぐことができる。
【００７３】
このようにして、電池劣化の状態を考慮して電力増幅回路の異常検出を行うので、高精度な電力増幅回路の異常検出を行うことができる。
【００７４】
このような本発明の実施形態の無線通信装置及び電力増幅回路の異常検出方法によれば、送信時及び送信時以外に測定された電池電圧に基づき、また、無線通信手段とは別の機能のオン、オフを考慮して電力増幅回路が異常か否かを判定することで、電力増幅回路の異常を高い精度で検出することができる。
【００７５】
なお、本実施形態では、バックライトの点灯状態（オンオフ状態）を用いて電池劣化を検出する場合について説明した。バックライトは、その機能を実行する機会が多く、点灯状態の変化が比較的多いため、電池劣化の検出の機会を多く得ることができる。更に、バックライトのオンオフ間は、電池電圧の変化が大きいため、精度よく電池劣化の検出を行うことができる。
【００７６】
更に、本実施形態では、電力増幅回路の異常検出において、バックライトの点灯状態に応じて測定値の補正を行う場合について説明した。上述したように、バックライトのオンオフ間は、電池電圧の変化が大きいため、バックライトの点灯状態に応じて電池電圧を補正することで高精度な異常検出を行うことが出来る。
【００７７】
但し、上記の状態検出は、バックライトの状態検出に限られるものではなく、無線通信装置に設けられたカメラ部の起動状態等、無線回路とは別の機能の状態検出であれば、それを電池劣化の検出や、電力増幅回路の異常検出時における補正の条件として用いてもよい。
【００７８】
また、本実施形態では、制御回路５において、電池劣化検出及び電力増幅回路の異常検出の処理を、測定値取得部５３、差分算出部５５、しきい値設定部５６、判定部５７を共用して行った場合について説明したが、これらのそれぞれの処理用に別々に設けてもよい。
【００７９】
更に、電池電圧の検出タイミングは、送信スロット期間中及び受信スロット期間中である場合について説明したが、受信スロット期間中の代わりに、空きスロット期間中としてもよい。すなわち、電力増幅回路の異常検出は、送信時と送信時以外とに測定された電池電圧を用いて行われればよい。
【００８０】
また、電池劣化が検出された場合及び電力増幅回路の異常が検出された場合は、表示部７で警告を表示させるほか、音声出力部を用いて警告音や音声案内により使用者に警告する等、種々の報知手段を用いて使用者に警告を報知してもよい。
【産業上の利用可能性】
【００８１】
本発明は、電力増幅回路の異常を高い精度で検出可能な効果を有し、携帯電話等に有用である。
【図面の簡単な説明】
【００８２】
【図１】本発明の実施形態に係る無線通信装置の概略構成を示すブロック図
【図２】本発明の実施形態に係る制御回路の概略構成を示すブロック図
【図３】本発明の実施形態に係る電池電圧測定タイミングの一例を示す説明図
【図４】本発明の実施形態に係る電池劣化検出方法を示すフロー図
【図５】本発明の実施形態に係る電力増幅回路劣化検出方法を示すフロー図
【図６】本発明の実施形態に係る電力増幅回路劣化検出用しきい値設定方法を示すフロー図
【符号の説明】
【００８３】
１  電池
２  電源回路
３  無線回路
４  電池電圧測定回路
５  制御回路
６  記憶部
７  表示部
３１  送信回路
３２  変調回路
３３  電力増幅回路
３４  受信回路
３５  アンテナ切替回路
３６  アンテナ
５１  送受信状態検出部
５２  バックライト状態検出部
５３  測定値取得部
５４  測定値補正部
５５  差分算出部
５６  しきい値設定部
５７  判定部
【図１】
2006121822.tif 000003
【図２】
2006121822.tif 000004
【図３】
2006121822.tif 000005
【図４】
2006121822.tif 000006
【図５】
2006121822.tif 000007
【図６】
2006121822.tif 000008